(57)【要約】      （修正有）【課題】子供に適切な健康環境を提供することができ、数遊びや運動などの多様な遊び方ができ、触れたりなめたりしても子供の健康に悪影響を及ぼすことが無い木製玩具を提供する。【解決手段】桧材により組み立てに必要な所定枚数の板部材２を形成する。所定枚数の板部材２を組み立てて子供が出入り可能な少なくとも一つの開口部５を有する箱状体３に形成する。箱状体３の平面部６にさいころの目のように配置した丸穴７を形成する。箱状体３の角８を丸面に形成するとともに表面を無塗装に仕上げて形成した。【選択図】図１
0003185856.tif 000002
【実用新案登録請求の範囲】
【請求項１】
桧材により組み立てに必要な所定枚数の板部材を形成し、前記所定枚数の板部材を組み立てて子供が出入り可能な少なくとも一つの開口部を有する箱状体に形成し、前記箱状体の平面部にさいころの目のように配置した丸穴を形成し、前記箱状体の角を丸面に形成するとともに表面を無塗装に仕上げて形成したことを特徴とする木製玩具。
【請求項２】
前記箱状体は、前記板部材を組み立てて立方体形状に形成したことを特徴とする請求項１に記載の木製玩具。
【考案の詳細な説明】
【技術分野】
【０００１】
この考案は木製玩具に係り、特に、子供の健康に安全で多様な遊び方が可能な木製玩具に関する。
【背景技術】
【０００２】
子供の遊びに供されるおもちゃ類には、積み木（特開２００５−２４５９９６）や、蒸気機関車をかたどった玩具（実用新案登録第３１６２８７４号）、組み立て式の玩具（実用新案登録第３０９１００７号）などがある。
【０００３】
子供は、上記おもちゃ類にさわり、動かし、組み合わせるなどの遊びを行うことで、豊かな感性を育み、創造力や集中力を養い、また、知能を発育させることができる。
【先行技術文献】
【特許文献】
【０００４】
【特許文献１】特開２００５−２４５９９６
【特許文献２】実用新案登録第３１６２８７４号
【特許文献２】実用新案登録第３０９１００７号
【考案の概要】
【考案が解決しようとする課題】
【０００５】
ところで、玩具は、金属やプラスチック、木材などの材料によりつくられている。金属やプラスチックは、人工的な材料であるため、子供が玩具に触れたりさわったりした場合、子供の感性に適切な影響を与えるとは言い難い問題がある。
【０００６】
また、木材でつくられた玩具は、防虫や防腐処理のために表面に塗装を施している例が多い。子供は、玩具で遊ぶときに、表面にさわり、なめたりかじったりすることがあるため、表面に施した塗装により子供の健康に悪影響を与えるおそれがある。
【０００７】
この考案は、子供に適切な健康環境を提供することができ、数遊びや運動などの多様な遊び方ができ、触れたりなめたりしても子供の健康に悪影響を及ぼすことが無い木製玩具を提供することを目的とする。
【課題を解決するための手段】
【０００８】
この考案は、桧材により組み立てに必要な例えば４枚の板部材を形成し、前記４枚の板部材を組み立てて子供が出入り可能な少なくとも一つ以上の開口部を有する箱状体に形成し、前記箱状体の平面部にさいころの目の配置状態となる丸穴を配し、前記箱状体の全ての角を丸面とするとともに無塗装に仕上げて形成したことを特徴とする。
【考案の効果】
【０００９】
この考案の木製玩具は、桧材を材料として箱状体に形成しているので、桧の香りによる鎮静効果、精神安定効果、樹脂による抗菌、防虫作用によって、子供に適切な健康環境を提供することができる。
【００１０】
また、この考案の木製玩具は、箱状体に開口部とさいころの目のように配置した丸孔とを形成しているので、子供は丸穴の数による数遊びや、箱状体への出入り、登り下り、握る放す、転がすなどの全身運動的な遊びができる。
【００１１】
さらに、この考案の木製玩具は、箱状体の角を無くして表面を無塗装としたことで、触れたりなめたりしても子供の健康に悪影響を及ぼすことが無い。
【図面の簡単な説明】
【００１２】
【図１】図１（Ａ）は木製玩具の平面図、図１（Ｂ）は木製玩具の正面図、図１（Ｃ）は木製玩具の左側面図、図１（Ｄ）は木製玩具の右側面図である。（実施例）
【図２】図２は木製玩具の使用状態を示す斜視図である。（実施例）
【図３】図３は変形例１を示す木製玩具の斜視図である。（変形例１）
【図４】図４は変形例２を示す木製玩具の斜視図である。（変形例２）
【考案を実施するための形態】
【００１３】
以下図面に基づいて、この考案の実施例を説明する。
【実施例】
【００１４】
図１・図２は、この考案の実施例を示すものである。図１において、木製玩具１は、板部材２を箱状体３に組み立てることで形成される。板部材２は、自然木である桧材により板厚が２５ｍｍ〜３０ｍｍで、完成サイズが６００ｍｍ（±１００ｍｍ）の立方体形状の箱状体３の組み立てに必要な所定枚数、実施例では４枚を略正方形状に形成する。
【００１５】
４枚の板部材２は、子供Ｃが入ることができる内部空間４を囲むように、立方体形状の箱状体３に組み立てられる。組み立てられた箱状体３には、内部空間４に連通する開口部５が２つ形成される。子供Ｃは、開口部５から内部空間４に出入りが可能である。
【００１６】
組み立てられた箱状体３は、板部材２の平面部６に丸穴７を形成している。丸穴７は、さいころの目の配置状態、例えば、１の目、３の目、５の目の配置状態となるように形成している。
【００１７】
また、組み立てられた箱状体３は、板部材２の端部分、板部材２を突き合わせた部分、板部材２に形成した丸穴７の縁部分に、角８が形成される。そこで、箱状体３は、これらの角８を丸めて丸面に形成するとともに、板部材２の表面を防虫や防腐処理を施さずに無塗装に仕上げている。なお、図１（Ｂ）において、符号９は、箱状体３の内側の隅部に固着した補強部材である。
【００１８】
このように、木製玩具１は、桧材により形成される板部材２により立方体形状の箱状体３に形成し、箱状体３の平面部６にさいころの目の配置状態になるように丸穴７を形成し、箱状体３の角８を丸めて丸面に形成するとともに表面を無塗装に仕上げることによって形成される。
【００１９】
この木製玩具１は、図２に示すように、箱状体３の開口部５を横位置にして設置することで、子供Ｃが開口部５から内部空間４に出入りすることができる。子供Ｃは、木製玩具１の内部空間４において、材料である桧材の香りつつまれ、鎮静効果、精神安定効果、樹脂による抗菌、防虫作用を受けることができる。これにより、木製玩具１は、子供Ｃに適切な健康環境を提供することができる。
【００２０】
また、木製玩具１は、箱状体３に開口部５とさいころの目の配置状態の丸穴７とを形成している。これにより、子供Ｃは、丸穴７の数による数遊びや、箱体３への出入り、登り下り、握る放す、転がすなどの全身運動的な遊びができる。
【００２１】
さらに、この木製玩具１は、箱状体３の角８を無くして表面を無塗装としたことで、子供Ｃが触れたりなめたりしても、子供Ｃの健康に悪影響を及ぼすことが無く、自然に木と親しむようすることができる。
【００２２】
なお、上述実施例においては、板状体２により立方体形状の箱状体３に組み立てたが、この形状に限定されるものではない。
【００２３】
例えば、箱状体３は、図３に示すように、扁平な直方体形状に形成することができる。また、箱状体３は、図４に示すように、正三角柱形状に形成することができる。
【００２４】
このように、木製玩具１は、自然木である桧材により形成される板部材２を組み立てて、上述のような各種形状の箱状体３に形成することで、子供Ｃに適切な健康環境を提供しながら、子供Ｃの関心を膨らませて遊び方を広げることができる。
【産業上の利用可能性】
【００２５】
この考案の木製玩具は、適切な健康環境の提供や運動などの多様な遊び方ができ、健康に悪影響を及ぼすことが無いので、子供にかぎらず、動物などの遊び道具としても提供することができる。
【符号の説明】
【００２６】
１  木製玩具
２  板部材
３  箱状体
４  内部空間
５  開口部
６  平面部
７  丸穴
８  角
９  補強部材
【図１】
0003185856.tif 000003
【図２】
0003185856.tif 000004
【図３】
0003185856.tif 000005
【図４】
0003185856.tif 000006